(57)【特許請求の範囲】
【請求項１】
物体側から像側へ順に、正の屈折力の第１レンズ群、正又は負の屈折力の第２レンズ群を有する前群と、光路を折り曲げる反射ミラーと、２以上のレンズ群を有する後群から構成され、ズーミングに際して隣り合うレンズ群の間隔が変化するズームレンズであって、ズーミングに際して、前記反射ミラーは不動であり、前記第１レンズ群と前記後群を構成する少なくとも２つのレンズ群は移動し、沈胴収納に際して、前記反射ミラーは回転軸を中心とした回動と前記後群の光軸方向への移動の少なくとも一方の動作を行い、前記反射ミラーの動作によって生ずる空間内に前記前群の少なくとも一部が収納され、前記前群は負の屈折力のレンズ群を含み、前記前群を構成する負の屈折力のレンズ群のうち屈折力の絶対値が最も大きいレンズ群の焦点距離をｆｎ、望遠端における全系の焦点距離をｆｔ、前記後群を構成する２以上のレンズ群の広角端から望遠端へのズーミングにおける移動量の最大値と最小値をそれぞれMmax、Mmin、前記前群の光軸と前記後群の光軸を含む断面における前記反射ミラーの反射面の長さをLp、前記第１レンズ群の最大有効径をDとするとき、
０．５０＜｜（Mmax−Mmin）｜/（D-Lp/√2）＜１．００
１０．５＜ｆt/|ｆｎ|＜３０．０
なる条件式を満足することを特徴とするズームレンズ。
【請求項２】
前記後群を構成する２以上のレンズ群のレンズ構成長の最大値をLmaxとするとき、
０．５０＜Lmax/(Lp/√2)＜２．００
なる条件式を満足することを特徴とする請求項１に記載のズームレンズ。
【請求項３】
前記後群のうち、最も像側に配置されるレンズ群の焦点距離をｆｒとするとき、
０．１０＜ｆr/ｆt＜０．４０
なる条件式を満足することを特徴とする請求項１又は２に記載のズームレンズ。
【請求項４】
前記前群を構成する負の屈折力のレンズ群のうち屈折力の絶対値が最も大きいレンズ群は２以上の負レンズを有しており、該２以上の負レンズの材料の屈折率の平均値をNｎと
するとき、
１．８５＜Nn＜２．００
なる条件式を満足することを特徴とする請求項１乃至３のいずれか１項に記載のズームレンズ。
【請求項５】
前記後群を構成するレンズ群のうち最も物体側に配置されたレンズ群は、第１サブレンズ群と、光軸に対して垂直方向の成分を持つ方向に移動して結像位置を光軸に対して垂直方向に移動させる第２サブレンズ群よりなることを特徴とする請求項１乃至４のいずれか１項のズームレンズ。
【請求項６】
前記前群の変倍比をZｆ、前記後群の変倍比をZｒとするとき、
１．５０＜Zｆ/Zｒ＜６．００
なる条件式を満足することを特徴とする請求項１乃至５のいずれか１項に記載のズームレンズ
【請求項７】
前記反射ミラーは、沈胴収納に際して、回動と前記後群の光軸方向への移動の両方の動作を行うことを特徴とする請求項１乃至６のいずれか１項のズームレンズ。
【請求項８】
前記前群は、物体側から像側へ順に、正の屈折力の第１レンズ群、負の屈折力の第２レンズ群より構成され、前記後群は、物体側から像側へ順に、正の屈折力の第３レンズ群、負の屈折力の第４レンズ群、正の屈折力の第５レンズ群から構成されることを特徴とする請求項１乃至７のいずれか１項に記載のズームレンズ。
【請求項９】
前記前群は、物体側から像側へ順に、正の屈折力の第１レンズ群、負の屈折力の第２レンズ群、負の屈折力の第３レンズ群より構成され、前記後群は、物体側から像側へ順に、正の屈折力の第４レンズ群、負の屈折力の第５レンズ群、正の屈折力の第６レンズ群から構成されることを特徴とする請求項１乃至７のいずれか１項に記載のズームレンズ。
【請求項１０】
前記前群は、物体側から像側へ順に、正の屈折力の第１レンズ群、負の屈折力の第２レンズ群より構成され、前記後群は、物体側から像側へ順に、負の屈折力の第３レンズ群、正の屈折力の第４レンズ群、負の屈折力の第５レンズ群、正の屈折力の第６レンズ群から構成されることを特徴とする請求項１乃至７のいずれか１項に記載のズームレンズ。
【請求項１１】
前記前群は、物体側から像側へ順に、正の屈折力の第１レンズ群、負の屈折力の第２レンズ群より構成され、前記後群は、物体側から像側へ順に、正の屈折力の第３レンズ群、正の屈折力の第４レンズ群より構成されることを特徴とする請求項１乃至７のいずれか１項に記載のズームレンズ。
【請求項１２】
前記前群は、物体側から像側へ順に、正の屈折力の第１レンズ群、正の屈折力の第２レンズ群、負の屈折力の第３レンズ群より構成され、前記後群は、物体側から像側へ順に、正の屈折力の第４レンズ群、負の屈折力の第５レンズ群、正の屈折力の第６レンズ群から構成されることを特徴とする請求項１乃至７のいずれか１項に記載のズームレンズ。
【請求項１３】
請求項１乃至１２のいずれか１項の記載のズームレンズと、該ズーミングによって形成された像を受光する固体撮像素子を有することを特徴とする撮像装置。
【発明の詳細な説明】
【技術分野】
【０００１】
本発明はデジタルスチルカメラ、ビデオカメラ等に好適な小型で高ズーム比のズームレンズに関する。特に非撮影時に撮像装置全体の小型化が容易な携帯性に優れたズームレンズに関する。
【背景技術】
【０００２】
近年、固体撮像素子を用いたビデオカメラ、デジタルスチルカメラ、そして銀塩フィルムを用いたフィルムカメラ等の撮像装置は高機能化され、また装置全体が小型化されている。そしてそれに伴い、これらの撮像装置に用いられる撮影光学系には、高ズーム比で全体が小型であり、カメラの厚み（前後方向の厚み）を薄くできるズームレンズであることが求められている。
【０００３】
カメラの小型化とズームレンズの高ズーム比化を図るため、非撮影時に各レンズ群の間隔を撮影状態と異なる間隔まで縮小してカメラ筐体内に収納する所謂沈胴式のズームレンズが知られている。またカメラの厚みを薄くするために、撮影光学系の光軸を９０°折り曲げる反射部材（反射ミラー）を光路中に配置した所謂屈曲式のズームレンズが知られている。
【０００４】
撮影時には反射部材を用いて光路を折り曲げた屈曲方式として使用し、非撮影時には反射部材を回転駆動して、空いた空間に反射部材の物体側のレンズ群が収納するようにしたズームレンズが知られている（特許文献１）。また非撮影時に、反射部材が撮影時と異なる領域へ空いた空間に移動し、反射部材より物体側のレンズ群を沈胴させて、非撮影時におけるカメラのコンパクト化とズームレンズの高ズーム比化を図った屈曲沈胴式のズームレンズが知られている（特許文献２）。
【先行技術文献】
【特許文献】
【０００５】
【特許文献１】特開２００７−２７９５４１号公報
【特許文献２】特開２００７−１１４４４７号公報
【発明の概要】
【発明が解決しようとする課題】
【０００６】
撮影光学系の光路を折り曲げる反射部材を備えると共に沈胴式を利用したズームレンズであれば高ズーム比化が容易で、またカメラに適用したときカメラの厚みを薄くすることが容易になる。しかしながら、これらの効果を得るためにはズームレンズのレンズ構成を適切に設定し、かつ反射部材の光路中の配置そして反射部材の前後のレンズ群の構成等を適切に設定することが重要になってくる。例えば、レンズ群の数、各レンズ群の屈折力配置、ズーミングの際の各レンズ群の移動条件等のレンズ構成や反射部材を光路中に配置するときの位置等を適切に設定することが重要になってくる。
【０００７】
特に反射部材よりも物体側の変倍用のレンズ群の屈折力や反射部材よりも像側のレンズ群のズーミングに際しての移動量等を適切に設定することが高ズーム比化とカメラの厚みを薄くするのに重要になってくる。これらの構成が適切でないと、上記の効果を得ることが難しい。特許文献１では物体側から数えて２番目の第２レンズ群と３番目の第３レンズ群の間に反射ミラーを配置している。そして非撮影時には反射ミラーを回転駆動して、その空いた空間に反射ミラーよりも物体側の前群を収納するズームレンズを開示している。
【０００８】
一方、特許文献２では、物体側から数えて２番目の第２レンズ群中に反射部材を配置し、ズーミングに際して第２レンズ群は不動としている。そして非撮影時には、反射部材より像側に配置されたレンズ群を像面側に移動させ、空いた空間に、物体側のレンズ群を収納するズームレンズを開示している。特許文献１、２のズームレンズは反射部材よりも物体側に配置された負の屈折力のレンズ群の屈折力が他のレンズ群に比べて弱い。
【０００９】
このため、前玉有効径が大きくなるか、又は所望のズーム比を確保するために、ズーミングに際して反射部材よりも像側のレンズ群の移動が大きくなり、カメラ幅が増大する傾向があるため、高ズーム比化を達成することが困難であった。
【００１０】
本発明は、高ズーム比で良好なる画像を容易に得ることができ、しかもカメラに適用したときカメラ等の厚みを薄くすることが容易なズームレンズ及びそれを用いた撮像装置の提供を目的とする。
【課題を解決するための手段】
【００１１】
本発明のズームレンズは、物体側から像側へ順に、正の屈折力の第１レンズ群、正又は負の屈折力の第２レンズ群を有する前群と、光路を折り曲げる反射ミラーと、２以上のレンズ群を有する後群から構成され、ズーミングに際して隣り合うレンズ群の間隔が変化するズームレンズであって、ズーミングに際して、前記反射ミラーは不動であり、前記第１レンズ群と前記後群を構成する少なくとも２つのレンズ群は移動し、沈胴収納に際して、前記反射ミラーは回転軸を中心とした回動と前記後群の光軸方向への移動の少なくとも一方の動作を行い、前記反射ミラーの動作によって生ずる空間内に前記前群の少なくとも一部が収納され、前記前群は負の屈折力のレンズ群を含み、前記前群を構成する負の屈折力のレンズ群のうち屈折力の絶対値が最も大きいレンズ群の焦点距離をｆｎ、望遠端における全系の焦点距離をｆｔ、前記後群を構成する２以上のレンズ群の広角端から望遠端へのズーミングにおける移動量の最大値と最小値をそれぞれMmax、Mmin、前記前群の光軸と前記後群の光軸を含む断面における前記反射ミラーの反射面の長さをLp、前記第１レンズ群の最大有効径をDとするとき、
０．５０＜｜（Mmax−Mmin）｜/（D-Lp/√2）＜１．００
１０．５＜ｆt/|ｆｎ|＜３０．０
なる条件式を満足することを特徴としている。
【発明の効果】
【００１２】
本発明によれば、高ズーム比で良好なる画像を容易に得ることができ、しかもカメラに適用したときカメラ等の厚みを薄くすることができるズームレンズが得られる。
【図面の簡単な説明】
【００１３】
【図１】本発明の実施例１の広角端におけるレンズ断面図
【図２】（Ａ）、（Ｂ）  本発明の実施例１に対応する数値実施例１の広角端、望遠端における収差図
【図３】本発明の実施例２の広角端におけるレンズ断面図
【図４】（Ａ）、（Ｂ）  本発明の実施例２に対応する数値実施例１の広角端、望遠端における収差図
【図５】本発明の実施例３の広角端におけるレンズ断面図
【図６】（Ａ）、（Ｂ）  本発明の実施例３に対応する数値実施例１の広角端、望遠端における収差図
【図７】本発明の実施例４の広角端におけるレンズ断面図
【図８】（Ａ）、（Ｂ）  本発明の実施例４に対応する数値実施例１の広角端、望遠端における収差図
【図９】本発明の実施例５の広角端におけるレンズ断面図
【図１０】（Ａ）、（Ｂ）  本発明の実施例５に対応する数値実施例１の広角端、望遠端における収差図
【図１１】（Ａ）、（Ｂ）  本発明の実施例１のズームレンズのレンズ断面図と撮像装置の説明図
【図１２】本発明の撮像装置の他の実施形態の要部概略図
【発明を実施するための形態】
【００１４】
以下、本発明のズームレンズ及びそれを有する撮像装置について説明する。本発明のズームレンズは、物体側から像側へ順に、正の屈折力の第１レンズ群、正又は負の屈折力の第２レンズ群を有する前群と、光路を折り曲げる反射ミラーと、２以上のレンズ群を有する後群から構成されている。そしてズーミングに際して隣り合うレンズ群の間隔が変化する。またズーミングに際して反射ミラーは不動で第１レンズ群と後群を構成する少なくとも２つのレンズ群が移動する。そして沈胴収納に際して、反射ミラーは回転軸を中心とした回動と後群の光軸方向への移動の少なくとも一方の動作を行い、反射ミラーの動作によって生ずる空間内に前群の少なくとも一部が収納される。
【００１５】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。図３は本発明の実施例２のズームレンズの広角端におけるレンズ断面図である。図４（Ａ）、（Ｂ）はそれぞれ実施例２のズームレンズの広角端、望遠端における収差図である。
【００１６】
図５は本発明の実施例３のズームレンズの広角端におけるレンズ断面図である。図６（Ａ）、（Ｂ）はそれぞれ実施例３のズームレンズの広角端、望遠端における収差図である。図７は本発明の実施例４のズームレンズの広角端におけるレンズ断面図である。図８（Ａ）、（Ｂ）はそれぞれ実施例４のズームレンズの広角端、望遠端における収差図である。図９は本発明の実施例５のズームレンズの広角端におけるレンズ断面図である。図１０（Ａ）、（Ｂ）はそれぞれ実施例５のズームレンズの広角端、望遠端における収差図である。
【００１７】
各実施例では光路中に設けた反射ミラーで光路を折り曲げているが各レンズ断面図では便宜上光路を展開した状態で示している。図１１（Ａ）、（Ｂ）は本発明の実施例１において反射ミラーで光路を折り曲げたときの撮影時のレンズ断面図と非撮影時で沈胴収納時の撮影装置の説明図である。
【００１８】
図１２は本発明のズームレンズの非撮影時で沈胴収納時のときの他の実施形態の撮像装置の説明図である。
【００１９】
各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ＬＦは正の屈折力の第１レンズ群と第２レンズ群を有する前群、ＵＲは光路上の光路を９０度又は９０度前後折り曲げる反射ミラー、ＬＲは２以上のレンズ群を有する後群である。
【００２０】
ｉは物体側からのレンズ群の順番を示し、Ｌｉは第ｉレンズ群である。ＳＰはＦナンバー光束を制限する開口絞りである。Ｇは光学フィルター、フェースプレート、水晶ローパスフィルター、赤外カットフィルター等に相当する光学ブロックである。
【００２１】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。矢印は広角端から望遠端へのズーミングに際しての各レンズ群の移動軌跡を示している。収差図において、ｄ-line、ｇ-lineは各々ｄ線及びｇ線、ΔＭ、ΔＳはメリディオナル像面、サジタル像面、倍率色収差はｇ線によって表している。
【００２２】
ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。
【００２３】
各実施例のズームレンズにおいて前群ＬＦは、物体側より像側へ順に、正の屈折力を有する第１レンズ群Ｌ１、正又は負の屈折力を有する第２レンズ群Ｌ２を有している。後群ＬＲは複数のレンズ群を有している。ズーミングに際して反射ミラーＵＲは不動であり、第１レンズ群Ｌ１と後群ＬＲを構成する少なくとも２つのレンズ群が移動する。物体側からの光を折り曲げる反射部材ＵＲを光路中に含むことで、まずカメラの厚み方向に関して薄くしている。
【００２４】
本実施例では、収納時のカメラ幅方向を短縮するために、収納時に反射部材ＵＲが後群（カメラ幅）の光軸方向にスペースを要しないようにしている。反射部材ＵＲとしては、収納時にスペースを必要としないように、反射プリズムではなく、反射ミラーで構成している。反射部材を反射ミラーとするとともに、光学的にカメラ幅を低減するためにズーミングに際して移動する移動レンズ群の変倍ストロークを短縮している。
【００２５】
後群ＬＲの移動レンズ群の変倍ストロークが減じられる分、反射ミラーよりも物体側に配置される前群を構成する各レンズ群のうち、屈折力の絶対値が最も大きい最大屈折力を有する負の屈折力のレンズ群を適切に設定している。これによって、前玉有効径の縮小および所望のズーム比を容易に得ている。
【００２６】
次に、図１１（Ｂ）の収納沈胴時について説明する。収納沈胴時に、反射ミラーＵＲおよび後群ＬＲが像側に移動することに加えて、反射ミラーＵＲがその回転中心を基準に回転する。これによって、収納沈胴時に生ずるカメラ幅方向の空間の一部に前群ＬＦの一部のレンズ群を収納している。さらに、反射ミラーＵＲが回動退避することで空いた空間に前群ＬＦの一部のレンズ群を収納することでカメラ厚みを薄くしている。
【００２７】
図１１（Ａ）、（Ｂ）において反射ミラーＵＲは非撮影時に、反射ミラーを回動支持する回転軸を中心に回動する回動動作と、後群ＬＲの光軸に対して平行方向に移動する移動動作の双方が行われているが少なくとも一方だけであっても良い。例えば図１２に示すように収納沈胴時に反射ミラーが移動しなく、回転中心で回動して、反射ミラーＵＲの反射面法線が前群ＬＦの光軸と平行となるように収納するようにしても良い。
【００２８】
各実施例では、反射ミラーＵＲを境に物体側に前群ＬＦ、像側に後群ＬＲを配置している。反射ミラーＵＲによって、前群ＬＦの光軸を略９０°（±１０°）に折り曲げて後群ＬＲの光軸に導いている。
【００２９】
各実施例において、前群ＬＦは負の屈折力のレンズ群を有する。前群ＬＦを構成する負の屈折力のレンズ群のうち屈折力の絶対値が最も大きいレンズ群の焦点距離をｆｎとする。望遠端における全系の焦点距離をｆｔとする。後群ＬＲを構成する２以上のレンズ群の広角端から望遠端へのズーミングにおける移動量の最大値と最小値をそれぞれMmax、Mminとする。前群ＬＦの光軸と後群ＬＲの光軸を含む断面における反射ミラーＵＲの反射面の長さをLp、前記第１レンズ群の最大有効径をDとする。このとき、
０．５０＜｜（Mmax−Mmin）｜/（D-Lp/√2）＜１．００    ・・・（１）
１０．５＜ｆt/|ｆｎ|＜３０．０                          ・・・（２）
なる条件式を満足している。
【００３０】
但し、広角端から望遠端へのズーミングにおけるレンズ群の移動量とは、「広角端におけるレンズ群の位置と望遠端におけるレンズ群の位置の差」をいう。
【００３１】
各実施例のズームレンズは、最も物体側が正の屈折力のレンズ群よりなるポジティブリードタイプのズームレンズである。ズーミングに際して反射ミラーＵＲは不動で、第１レンズ群Ｌ１と後群ＬＲのうち少なくとも２つのレンズ群が移動することで、高ズーム比化を達成している。さらに沈胴収納時に反射ミラーに対して物体側に配置される前群ＬＦの一部を収納してカメラの薄型化を達成している。
【００３２】
条件式（１）は、後群ＬＲを構成するレンズ群のズーミングに際しての移動量と第１レンズ群Ｌ１の最大有効径（前玉外径）、反射ミラーの大きさ等の関係を規定したものである。条件式（１）の下限を超えると、第１レンズ群Ｌ１を収納する空間をカメラ幅方向に設けることが難しくなる。逆に上限を超えると、後群ＬＲの変倍による変倍ストロークが大きすぎてカメラ幅が増大してしまう。さらに望ましくは、条件式（１）の数値範囲を以下とすることで、よりコンパクトなカメラを実現することが容易になる。
【００３３】
０．６０＜｜（Mmax−Mmin）｜/（D-Lp/√2）＜１．００・・・（１ａ）
条件式（２）は、前群ＬＦを構成する負の屈折力のレンズ群のうち屈折力の絶対値が最も大きいレンズ群の焦点距離を規定したものである。条件式（２）の下限を超えると前群ＬＦを構成する負の屈折力のレンズ群のうち屈折力の絶対値が最も大きいレンズ群の屈折力が弱すぎて所望のズーム比を得るのが困難となる。逆に上限を超えると、前群ＬＦを構成する負の屈折力のレンズ群のうち屈折力の絶対値が最も大きいレンズ群の屈折力が強すぎて、特に負レンズのコバ厚みが大きくなって、カメラを薄くすることが困難となる。
【００３４】
さらに望ましくは、条件式（２）の数値範囲を以下とすることで、よりコンパクトなカメラを実現することが容易となる。
【００３５】
１２．０＜ｆt / |ｆｎ|＜２０．０  ・・・（２ａ）
以上のように各実施例によれば、カメラの小型化が容易であって、かつ高ズーム比のズームレンズを得られるが、更に好ましくは次の諸条件のうちの１以上を満足するのが良い。
【００３６】
後群ＬＲを構成する２以上のレンズ群のレンズ構成長の最大値をLmaxとする。後群ＬＲのうち、最も像側に配置されるレンズ群の焦点距離をｆｒとする。前群ＬＦを構成する負の屈折力のレンズ群のうち屈折力の絶対値が最も大きいレンズ群は２以上の負レンズを有しており、２以上の負レンズの材料の屈折率の平均値をNｎとする。前群ＬＦの変倍比をZｆ、後群ＬＲの変倍比をZｒとする。このとき、次の条件式のうち１以上を満足するのが良い。
【００３７】
０．５０＜Lmax/(Lp/√2)＜２．００    ・・・（３）
０．１０＜ｆr/ｆt＜０．４０          ・・・（４）
１．８５＜Nn＜２．００              ・・・（５）
１．５０＜Zｆ/Zｒ＜６．００          ・・・（６）
次に前述の各条件式の技術的意味について説明する。
【００３８】
条件式（３）は、後群ＬＲを構成するレンズ群のうち、レンズ構成長が最も大きいレンズ群の厚みを規定したものである。条件式（３）の下限を超えると反射ミラーが大きすぎてカメラが大型化する。逆に上限を超えると、沈胴収納時の後群ＬＲのレンズ厚が大きくなりすぎて、後群ＬＲによる占有空間が大きくなり、カメラ幅が大きくなる。さらに望ましくは、条件式（３）の数値範囲を以下とすることで、よりコンパクトなカメラを実現することが容易となる。
【００３９】
１．００＜  Lmax/(Lp/√2)＜１．７０・・・（３a）
条件式（４）は、最も像側に配置される最終レンズ群の焦点距離を規定したものである。条件式（４）の下限を超えると、最終レンズ群の屈折力が大きくなり、最終レンズ群の有効径が大きくなってカメラ厚が大きくなる。逆に上限を超えると、後群ＬＲによる変倍比の十分な確保が困難になって、反射ミラーより物体側のレンズ群による変倍負担、及びズーミングによる移動量が大きくなってカメラ厚が大きくなる。さらに望ましくは、条件式（４）の数値範囲を以下とすることで、より薄いカメラを実現することが容易となる。
【００４０】
０．１０＜ｆr/ｆt＜０．３３・・・（４a）
前群ＬＦを構成する負の屈折力のレンズ群のうち屈折力の絶対値が最も大きいレンズ群は、２以上の負レンズを有している。
【００４１】
条件式（５）は、前群ＬＦを構成する負の屈折力のレンズ群のうち屈折力の絶対値が最も大きいレンズ群を構成する負レンズの材料についての屈折率の平均値を規定したものである。条件式（５）の下限を超えると負レンズのコバ部の厚みが大きくなるため、カメラ厚が大型化する。逆に上限を超える材料では、一般に高分散材を使用することになり、色収差の補正が困難になり、それに起因してレンズ構成が複雑となってカメラが大型化してくる。さらに望ましくは、条件式（５）の数値範囲を以下とすることで、より小型なカメラを実現することが容易となる。
【００４２】
１．８５＜N2n＜１．９５・・・（５a）
条件式（６）は、後群ＬＲに対する、前群ＬＦの変倍比の関係を規定したものである。条件式（６）の下限を超えると、前群ＬＦによる変倍分担が小さすぎてカメラの横幅が大きくなる。逆に上限を超えると、前群ＬＦによる変倍分担が大きすぎて、カメラの厚みを薄くすることが困難となる。さらに望ましくは、条件式（６）の数値範囲を以下とすることで、バランス良い小型なカメラを実現することが容易となる。
【００４３】
１．５０＜Zｆ/Zｒ＜５．５０  ・・・（６a）
各実施例においては図１２に示すように非撮影時に、反射ミラーを、それを支持する回転中心を基準に、回転動作しても良い。そしてそれに伴って生ずる空間内に前群ＬＦの一部を収納しても良い。
【００４４】
これによれば、沈胴収納時にカメラ幅方向について、反射ミラーが占める空間を有効利用して、物体側にある前群を収納することができる。また図１１（Ｂ）に示すように、非撮影時に、反射ミラーＵＲは回動動作とともに前群ＬＦの光軸に対して略垂直方向に移動の両方の動作を行っても良い。これによれば、カメラ幅方向について、反射ミラーＵＲが占める空間を有効利用して、物体側にある前群ＬＦの一部を収納することができる。
【００４５】
後群ＬＲを構成するレンズ群のうち最も物体側に配置されたレンズ群は、第１サブレンズ群と、光軸に対して垂直方向の成分を持つ方向に移動して結像位置を光軸に対して垂直方向に移動させる第２サブレンズ群よりなっている。反射ミラーを有する高ズーム比のズームレンズでは、広角端から望遠端へのズーミングに際して移動レンズ群が反射ミラー側に接近する構成をとることがある。
【００４６】
この場合、後群ＬＲのいずれかのレンズ群を複数の部分レンズ群に分けて、その像側のレンズ群を光軸に対して垂直方向の成分を持つように移動することで、特に望遠端において折り曲げ光路についてレンズ群の干渉を防止しつつ、手ブレ補正が容易となる。次に各実施例のズームレンズのレンズ構成について説明する。
【００４７】
［実施例１］
以下、図１を参照して本発明の実施例１のズームレンズについて説明する。前群ＬＦは、物体側から像側へ順に、正の屈折力の第１レンズ群Ｌ１、負の屈折力の第２レンズ群Ｌ２より構成されている。後群ＬＲは、物体側から像側へ順に、正の屈折力の第３レンズ群Ｌ３、負の屈折力の第４レンズ群Ｌ４、正の屈折力の第５レンズ群Ｌ５から構成されている。反射ミラーＵＲは第２レンズ群Ｌ２と第３レンズ群Ｌ３の間に配置されている。
【００４８】
広角端から望遠端へのズーミングに際し、第２レンズ群Ｌ２、反射ミラーＵＲ、第４レンズ群Ｌ４は不動である。第１レンズ群Ｌ１は物体側へ直線的に、又は像側に凸状の軌跡を描きながら移動する。第３レンズ群Ｌ３は物体側へ移動して変倍を行っている。変倍に伴う像面位置の変動を補正するために第５レンズ群Ｌ５は像側へ非直線的に移動している。
【００４９】
本実施例では、ズーミングに際して反射ミラーＵＲと第２レンズ群Ｌ２と第４レンズ群Ｌ４を不動とし、第１レンズ群Ｌ１と第３レンズ群Ｌ３と第５レンズ群Ｌ５を移動させてズーム比が約１３といった高ズーム比のズームレンズを実現している。フォーカシングに際しては第５レンズ群Ｌ５が移動している。
【００５０】
本実施例では、条件式（１）の値が０．９８、条件式（２）の値が１２．２であり、これにより高ズーム比化とカメラの薄型化を達成している。後群ＬＲを構成するレンズ群のうち、最大のレンズ構成長を有する第３レンズ群Ｌ３の厚みに関する条件式（３）の値は１．３２である。また、最終レンズ群の屈折力に関する条件式（４）の値は０．２２と強い屈折力配置として、後群ＬＲの変倍時の駆動量を抑えている。
【００５１】
前群ＬＦを構成する負の屈折力のレンズ群のうち、屈折力の絶対値が最も大きいレンズ群に相当するのは第２レンズ群Ｌ２である。第２レンズ群Ｌ２の屈折力は強いため、これを構成する負レンズの材料の屈折率の平均値に関する条件式（５）の値は１．８７と大きい材料を選択している。なお、本実施例では、第３レンズ群Ｌ３は第１サブレンズ群Ｌ３ａと第２サブレンズ群Ｌ３ｂを有し、第２サブレンズ群Ｌ３ｂで手ブレ補正を行っている。
【００５２】
［実施例２］
以下、図３を参照して本発明の実施例２のズームレンズについて説明する。前群ＬＦは、物体側から像側へ順に、正の屈折力の第１レンズ群Ｌ１、負の屈折力の第２レンズ群Ｌ２、負の屈折力の第３レンズ群Ｌ３より構成されている。後群ＬＲは、物体側から像側へ順に正の屈折力の第４レンズ群Ｌ４、負の屈折力の第５レンズ群Ｌ５、正の屈折力の第６レンズ群Ｌ６より構成されている。反射ミラーＵＲは第３レンズ群Ｌ３と第４レンズ群Ｌ４の間に配置されている。
【００５３】
実施例２のズームレンズは、ズーミングに際して反射ミラーＵＲと第３レンズ群Ｌ３と第５レンズ群Ｌ５は不動であり、第１、第２、第４、第６レンズ群が移動してズーム比が約１５といった高ズーム比のズームレンズを実現している。
【００５４】
具体的には広角端から望遠端へのズーミングに際して第１レンズ群Ｌ１は物体側へ直線的に又は像側に凸状の軌跡を描いて移動する。第２レンズ群Ｌ２は像側へ凸状の軌跡を描いて移動する。第４レンズ群Ｌ４は物体側へ移動する。フォーカシングに際しては第６レンズ群Ｌ６が移動している。
【００５５】
本実施例では、条件式（１）の値が０．７０、条件式（２）の値が１２．６であり、これにより高ズーム比とカメラの薄型化を達成している。
【００５６】
後群ＬＲを構成するレンズ群のうち、最大のレンズ構成長を有する第４レンズ群Ｌ４の厚みに関する条件式（３）の値は１．４６である。また、最終レンズ群の屈折力に関する条件式（４）の値は０．１６と強い屈折力配置として、後群ＬＲの変倍時の駆動量を抑えている。前群ＬＦを構成する負の屈折力のレンズ群のうち、屈折力の絶対値が最も大きいレンズ群に相当するのは第２レンズ群Ｌ２である。
【００５７】
第２レンズ群Ｌ２の屈折力は強いため、これを構成する負レンズの材料の屈折率の平均値に関する条件式（５）の値は、１．８７と大きい材料を選択している。なお、本実施例では、第４レンズ群Ｌ４は第１サブレンズ群Ｌ４ａと第２サブレンズ群Ｌ４ｂを有し、第２サブレンズ群Ｌ４ｂで、手ブレ補正を行っている。その他の点は、実施例１と同じである。
【００５８】
［実施例３］
以下、図５を参照して本発明の実施例３によるズームレンズについて説明する。前群ＬＦは、物体側から像側へ順に、正の屈折力の第１レンズ群Ｌ１、負の屈折力の第２レンズ群Ｌ２より構成されている。後群ＬＲは、物体側から像側へ順に、負の屈折力の第３レンズ群Ｌ３、正の屈折力の第４レンズ群Ｌ４、負の屈折力の第５レンズ群Ｌ５、正の屈折力の第６レンズ群Ｌ６から構成されている。反射ミラーＵＲは第２レンズ群Ｌ２と第３レンズ群Ｌ３の間に配置されている。
【００５９】
実施例３のズームレンズは、ズーミングに際して反射ミラーＵＲと第３レンズ群Ｌ３と第５レンズ群Ｌ５は不動であり、第１、第２、第４、第６レンズ群が移動してズーム比が約１５といった高ズーム比のズームレンズを実現している。実施例３において広角端から望遠端へのズーミングに際しての各レンズ群の移動軌跡は実施例２と同じである。フォーカシングに際しては、第６レンズ群Ｌ６が移動している。
【００６０】
本実施例では、条件式（１）の値が０．９０、条件式（２）の値が１２．５であり、これにより高ズーム比化とカメラの薄型化を達成している。
【００６１】
後群ＬＲを構成するレンズ群のうち、最大のレンズ構成長を有する第４レンズ群Ｌ４の厚みに関する条件式（３）の値は、１．３９である。また、最終レンズ群の屈折力に関する条件式（４）の値は、０．１８と強い屈折力配置として、後群ＬＲの変倍時の駆動量を抑えている。前群ＬＦを構成する負の屈折力のレンズ群のうち、屈折力の絶対値が最も大きいレンズ群に相当するのは第２レンズ群Ｌ２である。第２レンズ群Ｌ２の屈折力は強いため、これを構成する負レンズの材料の屈折率の平均値に関する条件式（５）の値は、１．９２と大きい材料を選択している。
【００６２】
なお、本実施例では、第４レンズ群Ｌ４は第１サブレンズ群Ｌ４ａと第２サブレンズ群Ｌ４ｂを有し、第２サブレンズ群Ｌ４ｂで手ブレ補正を行っている。その他の点は、実施例１と同じである。
【００６３】
［実施例４］
以下、図７を参照して本発明の実施例４のズームレンズについて説明する。前群ＬＦは、物体側から像側へ順に、正の屈折力の第１レンズ群Ｌ１、負の屈折力の第２レンズ群Ｌ２より構成されている。後群ＬＲは、正の屈折力の第３レンズ群Ｌ３、正の屈折力の第４レンズ群Ｌ４より構成されている。反射ミラーＵＲは第２レンズ群Ｌ２と第３レンズ群Ｌ３の間に配置されている。
【００６４】
実施例４のズームレンズは、ズーミングに際して反射ミラーＵＲは不動であり、第１乃至第４レンズ群が移動して、ズーム比が約１６といった高ズーム比のズームレンズを実現している。具体的には広角端から望遠端へのズーミングに際して第１レンズ群Ｌ１は物体側へ直線的に又は像側に凸状の軌跡を描いて移動する。第２レンズ群Ｌ２は像側へ凸状の軌跡を描いて移動する。第３レンズ群Ｌ３は物体側へ移動する。第４レンズ群Ｌ４は物体側へ凸状の軌跡を描いて移動する。フォーカシングに際しては第４レンズ群Ｌ４が移動している。
【００６５】
本実施例では、条件式（１）の値が０．６３、条件式（２）の値が１７．１であり、これにより高ズーム比化とカメラの薄型化を達成している。後群ＬＲを構成するレンズ群のうち、最大のレンズ構成長を有する第３レンズ群Ｌ３の厚みに関する条件式（３）の値は１．４９である。また、最終レンズ群の屈折力に関する条件式（４）の値は、０．３１と強い屈折力配置として、後群ＬＲの変倍時の駆動量を抑えている。前群ＬＦを構成する負の屈折力のレンズ群のうち、屈折力の絶対値が最も大きいレンズ群に相当するのは第２レンズ群Ｌ２である。
【００６６】
第２レンズ群Ｌ２の屈折力は強いため、これを構成する負レンズの材料の屈折率の平均値に関する条件式（５）の値は、１．８７と大きい材料を選択している。なお、本実施例では、第３レンズ群Ｌ３は第１サブレンズ群Ｌ３ａと第２サブレンズ群Ｌ３ｂを有し、第２サブレンズ群Ｌ３ｂで手ブレ補正を行っている。その他の点は、実施例１と同じである。
【００６７】
［実施例５］
以下、図９を参照して本発明の実施例５のズームレンズについて説明する。前群ＬＦは、物体側から像側へ順に、正の屈折力の第１レンズ群Ｌ１、正の屈折力の第２レンズ群Ｌ２、負の屈折力の第３レンズ群Ｌ３より構成されている。後群ＬＲは、物体側から像側へ順に正の屈折力の第４レンズ群Ｌ４、負の屈折力の第５レンズ群Ｌ５、正の屈折力の第６レンズ群Ｌ６より構成されている。反射ミラーＵＲは第３レンズ群Ｌ３と第４レンズ群Ｌ４の間に配置されている。
【００６８】
実施例５のズームレンズは、ズーミングに際して反射ミラーＵＲと第３レンズ群Ｌ３は不動であり、第１、第２、第４、第５、第６レンズ群が移動してズーム比が約１６といった高ズーム比のズームレンズを実現している。具体的には広角端から望遠端へのズーミングに際して第１、第２、第４レンズ群Ｌ１、Ｌ２、Ｌ４は物体側へ移動する。第５レンズ群Ｌ５は像側へ凸状の軌跡を描いて移動する。第６レンズ群Ｌ６は物体側へ凸状の軌跡を描いて移動する。
【００６９】
フォーカシングに際しては、第６レンズ群Ｌ６が移動している。本実施例では、条件式（１）の値が０．８３、条件式（２）の値が１５．７であり、これにより高ズーム比化とカメラの薄型化を達成している。
【００７０】
後群ＬＲを構成するレンズ群のうち、最大のレンズ構成長を有する第４レンズ群Ｌ４の厚みに関する条件式（３）の値は、１．４７である。また、最終レンズ群の屈折力に関する条件式（４）の値は０．１９と強い屈折力配置として、後群ＬＲの変倍時の駆動量を抑えている。
【００７１】
前群ＬＦを構成する負の屈折力のレンズ群のうち屈折力の絶対値が大きいレンズ群に相当するのは第３レンズ群Ｌ３である。第３レンズ群Ｌ３の屈折力は強いため、これを構成する負レンズの材料の屈折率の平均値に関する条件式（５）の値は、１．８７と大きい材料を選択している。なお、本実施例では、第４レンズ群Ｌ４は第１サブレンズ群Ｌ４ａと第２サブレンズ群Ｌ４ｂを有し、第２サブレンズ群Ｌ４ｂで手ブレ補正を行っている。その他の点は、実施例１と同じである。以上のように各実施例のズームレンズはズーミングに際して隣り合うレンズ群の間隔が変化する。
【００７２】
以上、本発明の好ましい実施形態について説明したが、本発明はこれらの実施形態に限定されず、その要旨の範囲内で種々の変形及び変更が可能である。例えば、実施例１〜５の全てのズームレンズにおいて、ズーミングに際してＦ値変動を低減するために開口絞りの開口径の制御を行なっても良い。また受光面上に形成された光学像を電気信号に変換する撮像素子を備えた撮像装置と組み合わせた場合などには歪曲収差を電気的な補正によって行っても良い。
【００７３】
次に、本発明の実施例１〜５に各々対応する数値実施例１〜５を示す。各数値実施例においてｉは物体側からの光学面の順序を示す。
【００７４】
ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。
【００７５】
但しＲは近軸曲率半径である。また例えば「Ｅ−Ｚ」の表示は「１０-Z」を意味する。数値実施例において最後の２つの面は、フィルター、フェースプレート等の光学ブロックの面である。各実施例において、バックフォーカス（ＢＦ）は最終レンズ面から像面までの空気換算における距離である。レンズ全長は最も物体側のレンズ面から最終レンズ面までの距離に空気換算でのバックフォーカスの距離を加えたものである。また、各数値実施例における上述した条件式との対応を表１に示す。
【００７６】
数値実施例１
単位 mm
面データ
面番号       r        d      nd      νd    有効径   外径
1         36.280    1.10   1.84666  23.8   27.32    28.5
2         22.075    5.00   1.49700  81.5   25.18
3       3819.484    0.10                   24.91
4         21.953    3.40   1.71300  53.9   23.62
5         83.784  (可変)                   23.08
6         67.363    1.05   1.84954  40.1   12.55
7*         7.239    2.86                    9.23
8        -11.608    0.60   1.88300  40.8    8.77
9          8.601    0.19                    8.49
10          9.629    2.04   1.94595  18.0    8.57
11        -92.242    4.80                    8.51
12          ∞     (可変)                   11.31
13*         8.197    2.52   1.55332  71.7    7.44
14*       -83.098    1.00                    6.92
15(絞り)    ∞       1.00                    6.31
16          9.731    0.60   1.84666  23.8    6.32
17          6.137    1.40                    6.05
18         10.932    3.42   1.54814  45.8    6.63
19        -10.241    0.60   1.80610  33.3    6.53
20        -44.165  (可変)                    6.65
21        -16.021    0.70   1.77250  49.6    7.60
22        232.382  (可変)                    7.91
23*        14.352    3.61   1.48749  70.2   11.05
24        -13.063  (可変)                   11.19
25          ∞       0.80   1.51633  64.1   20.00
26          ∞       2.37                   20.00
像面        ∞
【００７７】
非球面データ
第7面
K  =-2.66260e-001  A 4= 1.25506e-004  A 6=-1.40891e-005
A 8= 1.00423e-006  A10=-2.39914e-008 
第13面
K  =-2.33750e-001  A 4=-3.57071e-005  A 6=-1.50723e-006
A 8= 1.80588e-008
第14面
K = 0.00000e+000  A 4= 4.19704e-005
第23面
K  = 0.00000e+000  A 4=-2.08667e-004  A 6= 1.38190e-006
A 8=-2.20568e-008
各種データ
ズーム比     12.75
広角     中間     望遠
焦点距離       5.18    22.00    66.05 
Fナンバー      3.07     4.67     6.42
半画角（度）  33.59     8.89     2.98 
像高           3.44     3.44     3.44 
レンズ全長    71.81 82.44 88.07
BF           11.00 10.62 4.87
d 5            0.50    11.14    16.87 
d12           18.28     6.91     4.30 
d20            1.36    12.73    15.29 
d22            4.68     5.05    10.75 
d24            8.10     7.72     1.97 
入射瞳位置    17.46    59.48   143.60 
射出瞳位置   -61.28   152.44    38.52 
前側主点位置  22.22    84.71   330.31 
後側主点位置  -2.81   -19.63   -63.68 
ズームレンズ群データ
群  始面    焦点距離  レンズ構成長  前側主点位置  後側主点位置
1    1      32.00         9.59         2.33         -3.75
2    6      -5.41        11.54         1.45         -8.21
3   13      14.26        10.55         0.39         -7.75
4   21     -19.38         0.70         0.03         -0.37
5   23      14.66         3.61         1.33         -1.21
GB   25       ∞           0.80         0.26         -0.26
単レンズデータ
レンズ  始面  焦点距離
1       1    -69.04
2       2     44.66
3       4     40.79
4       6     -9.62
5       8     -5.52
6      10      9.31
7      13     13.62
8      16    -21.25
9      18     10.23
10      19    -16.67
11      21    -19.38
12      23     14.66
13      25      0.00
【００７８】
数値実施例２
単位 mm
面データ
面番号       r        d      nd      νd   有効径    外径
1         34.288    1.10   1.84666  23.8   26.50    27.50
2         20.047    4.76   1.49700  81.5   24.13
3        157.849    0.10                   23.92
4         22.449    3.42   1.77250  49.6   23.37
5        106.336  (可変)                   22.91
6        102.105    1.05   1.84954  40.1   14.07
7*         7.207    3.24                   10.15
8        -17.054    0.60   1.88300  40.8    9.85
9         10.643    0.10                    9.63
10         10.710    2.17   1.94595  18.0    9.74
11       -238.729  (可変)                    9.62
12        -14.788    0.60   1.48749  70.2    8.13
13        -22.527    4.50                    8.21
14          ∞     (可変)                   11.31
15*         7.500    3.13   1.55332  71.7    9.00
16*       -67.550    1.00                    8.33
17(絞り)    ∞       1.00                    7.59
18         12.503    0.60   1.84666  23.8    7.17
19          8.424    1.27                    6.82
20         10.570    4.08   1.58144  40.8    6.74
21         -4.614    0.60   1.80610  33.3    6.06
22         69.938  (可変)                    6.05
23        -17.595    0.70   1.77250  49.6    7.67
24         46.227  (可変)                    8.03
25*        10.257    3.89   1.48749  70.2   11.13
26        -13.610  (可変)                   11.23
27          ∞       0.80   1.51633  64.1   20.00
28          ∞       1.84                   20.00
像面        ∞
【００７９】
非球面データ
第7面
K  = 2.79987e-001  A 4=-5.35367e-005  A 6=-4.45027e-006
A 8= 1.59055e-008  A10= 1.04575e-009 
第15面
K  =-1.05117e-001  A 4= 6.36084e-006  A 6=-8.64819e-007
A 8= 2.26861e-008
第16面
K =-1.79154e+002  A 4= 1.43988e-004
第25面
K  = 0.00000e+000  A 4=-2.86643e-004  A 6= 5.74087e-007
A 8=-2.33846e-008
各種データ
ズーム比     15.03
広角     中間     望遠
焦点距離       5.18    25.00    77.84 
Fナンバー      3.07     4.33     5.72
半画角（度）  33.59     7.83     2.53 
像高           3.44     3.44     3.44 
レンズ全長     80.03 83.04 88.07
BF             6.35 11.27 4.88
d 5            0.50    11.63    17.50 
d11            9.71     1.54     0.80 
d14           16.47     6.55     4.30 
d22            1.79    11.71    13.97 
d24            7.29     2.43     8.71 
d26            3.98     8.90     2.51 
入射瞳位置    18.09    63.98   164.63 
射出瞳位置   252.96  -261.06    33.94 
前側主点位置  23.38    86.61   431.14 
後側主点位置  -3.34   -23.16   -76.01 
ズームレンズ群データ
群  始面    焦点距離  レンズ構成長  前側主点位置  後側主点位置
1    1      32.16         9.38         2.30         -3.59
2    6      -6.16         7.16         1.31         -3.84
3   12     -90.61         5.10        -0.79         -5.70
4   15      13.48        11.68        -4.04         -9.41
5   23     -16.42         0.70         0.11         -0.28
6   25      12.67         3.89         1.19         -1.57
GB   27       ∞           0.80         0.26         -0.26
単レンズデータ
レンズ  始面  焦点距離
1       1    -59.11
2       2     45.68
3       4     36.19
4       6     -9.17
5       8     -7.35
6      10     10.88
7      12    -90.61
8      15     12.38
9      18    -32.71
10      20      6.13
11      21     -5.35
12      23    -16.42
13      25     12.67
14      27      0.00
【００８０】
数値実施例３
単位 mm
面データ
面番号       r        d      nd      νd   有効径   外径
1         34.092    1.10   1.84666  23.8  26.50    27.50
2         19.352    4.94   1.49700  81.5  23.60
3        245.625    0.10                  22.28
4         21.016    3.15   1.77250  49.6  21.39
5        103.274  (可変)                  20.94
6         86.233    1.05   1.84954  40.1  13.35
7*         6.606    3.12                   9.44
8        -15.055    0.60   2.00000  40.0   9.19
9         12.951    0.10                   9.19
10         12.063    2.16   1.94595  18.0   9.38
11        -35.833  (可変)                   9.36
12          ∞       4.96                  11.31
13        -15.308    0.60   1.51633  64.1   7.42
14        -41.341  (可変)                   7.49
15*         7.569    2.96   1.55332  71.7   8.11
16*       -24.486    1.00                   7.63
17(絞り)    ∞       1.00                   6.80
18         10.632    0.60   1.84666  23.8   6.59
19          5.868    1.41                   6.23
20          9.638    3.56   1.60342  38.0   6.83
21         -9.408    0.60   1.80610  33.3   6.54
22        715.065  (可変)                   6.55
23        -30.828    0.70   1.77250  49.6   7.48
24         19.534  (可変)                   7.68
25*        10.933    3.46   1.48749  70.2  11.39
26        -16.828  (可変)                  11.34
27          ∞       0.80   1.51633  64.1  20.00
28          ∞       2.40                  20.00
像面        ∞
【００８１】
非球面データ
第7面
K  = 4.95519e-001  A 4=-1.74245e-004  A 6=-9.87660e-006
A 8= 2.61017e-007  A10=-1.56231e-008 
第15面
K  =-4.55464e-001  A 4=-1.03451e-004  A 6=-5.23921e-007
A 8=-2.56549e-009
第16面
K =-1.42480e-001  A 4= 1.02387e-004
第25面
K  = 0.00000e+000  A 4=-1.56104e-004  A 6= 1.29154e-007
A 8=-8.67868e-009
各種データ
ズーム比     15.10
広角     中間     望遠
焦点距離       5.18    22.00    78.22 
Fナンバー      3.07     4.84     6.46
半画角（度）  33.59     8.89     2.52 
像高           3.44     3.44     3.44 
レンズ全長    73.22 81.45 88.07
BF            8.77 11.74 4.87
d 5            0.50     9.20    15.87 
d11            5.28     4.80     4.80 
d14           13.95     2.68     0.30 
d22            0.85    12.10    14.49 
d24            6.72     3.77    10.57 
d26            5.84     8.81     1.94 
入射瞳位置    17.37    49.95   154.44 
射出瞳位置   -96.21  -174.21    42.84 
前側主点位置  22.28    69.21   383.94 
後側主点位置  -2.78   -19.60   -75.82 
ズームレンズ群データ
群  始面    焦点距離  レンズ構成長  前側主点位置  後側主点位置
1    1      29.61         9.29         2.60         -3.27
2    6      -6.25         7.03         0.99         -4.28
3   12     -47.45         5.56         4.72         -0.63
4   15      12.16        11.12        -0.59         -8.24
5   23     -15.39         0.70         0.24         -0.15
6   25      14.17         3.46         0.95         -1.47
GB   27       ∞           0.80         0.26         -0.26
単レンズデータ
レンズ  始面  焦点距離
1       1    -54.74
2       2     41.96
3       4     33.59
4       6     -8.47
5       8     -6.89
6      10      9.75
7      13    -47.45
8      15     10.80
9      18    -16.42
10      20      8.49
11      21    -11.52
12      23    -15.39
13      25     14.17
14      27      0.00
【００８２】
数値実施例４
単位 mm
面データ
面番号       r        d      nd      νd   有効径    外径
1         60.269    1.10   1.84666  23.8   27.53    28.50
2         26.489    5.05   1.49700  81.5   26.22
3        -76.755    0.10                   26.09
4         21.031    3.33   1.77250  49.6   23.09
5         75.809  (可変)                   22.45
6*       -46.672    1.05   1.85135  40.1   12.32
7*        13.268    2.42                    8.86
8         -8.325    0.60   1.88300  40.8    8.24
9          8.584    0.10                    8.11
10          9.151    1.90   1.94595  18.0    8.16
11        -84.808  (可変)                    8.13
12          ∞     (可変)                   11.31
13*         6.467    4.00   1.51633  64.1    7.27
14*       -21.838    1.00                    6.41
15(絞り)    ∞       1.00                    5.67
16         89.305    0.60   1.85026  32.3    5.56
17          6.084    1.09                    5.43
18          7.546    3.64   1.51742  52.4    6.30
19         -7.668    0.60   1.88300  40.8    6.56
20*       -22.132  (可変)                    6.86
21*        19.312    2.83   1.48749  70.2   10.24
22        -43.947  (可変)                   10.10
23          ∞       0.80   1.51633  64.1   20.00
24          ∞       4.89                   20.00
像面        ∞
【００８３】
非球面データ
第6面
K  = 0.00000e+000  A 4= 2.27484e-004  A 6= 1.69367e-005
A 8=-3.96934e-007  A10= 3.67104e-009 
第7面
K  =-1.79858e+000  A 4= 1.66303e-004  A 6= 2.60989e-005
A 8= 3.77154e-008  A10= 1.84548e-008 
第13面
K  =-5.56364e-001  A 4=-5.59307e-005  A 6= 6.34812e-007
A 8=-1.11004e-008
第14面
K = 0.00000e+000  A 4= 1.38992e-004
第20面
K  =-4.82233e+000  A 4= 3.65336e-005  A 6= 7.10381e-006
A 8=-3.92807e-007  A10= 1.65954e-008 
第21面
K  = 0.00000e+000  A 4= 6.02068e-005  A 6=-1.64175e-006
A 8= 3.06501e-008
各種データ
ズーム比     15.67
広角     中間     望遠
焦点距離       5.73    22.00    89.77 
Fナンバー      3.50     4.59     5.49
半画角（度）  31.43     9.04     2.23 
像高           3.50     3.50     3.50 
レンズ全長    71.38 79.79 86.33
BF           10.71 20.63 5.52
d 5            0.50    10.50    17.50 
d11            6.75     5.10     4.80 
d12           17.21     6.55     4.30 
d20            5.79     6.60    23.79 
d22            5.29    15.21     0.10 
入射瞳位置    16.81    57.16   230.25 
射出瞳位置   -27.17   -39.61   477.85 
前側主点位置  21.51    68.29   337.06 
後側主点位置  -0.83   -17.11   -84.88 
ズームレンズ群データ
群  始面    焦点距離  レンズ構成長  前側主点位置  後側主点位置
1    1      29.06         9.58         3.22         -2.74
2    6      -5.25         6.08         1.51         -2.71
3   13      16.98        11.93        -2.90        -10.75
4   21      27.93         2.83         0.59         -1.34
GB   23       ∞           0.80         0.26         -0.26
単レンズデータ
レンズ  始面  焦点距離
1       1    -56.67
2       2     40.28
3       4     36.70
4       6    -12.04
5       8     -4.71
6      10      8.82
7      13     10.15
8      16     -7.70
9      18      8.00
10      19    -13.55
11      21     27.93
12      23      0.00
【００８４】
数値実施例５
単位 mm
面データ
面番号       r        d      nd       νd   有効径    外径
1         40.115    1.10   1.84666   23.8  27.50    28.50
2         22.601    5.01   1.49700   81.5  24.86
3       -639.469  (可変)                   24.29
4         22.411    3.31   1.77250   49.6  23.18
5         96.137  (可変)                   22.69
6        121.669    1.05   1.84954   40.1  13.43
7*         8.387    3.09                   10.13
8        -13.033    0.60   1.88300   40.8   9.44
9          8.611    0.10                    9.08
10          9.163    2.11   1.94595   18.0   9.09
11        293.593    4.80                    9.00
12          ∞     (可変)                   11.31
13*         7.266    3.67   1.55332   71.7   8.20
14*      -530.318    1.00                    7.18
15(絞り)    ∞       1.00                    6.53
16          9.580    0.60   1.84666   23.8   6.37
17          5.742    1.45                    6.03
18         10.456    3.47   1.56732   42.8   6.45
19         -9.352    0.60   1.80610   33.3   6.47
20        -35.445  (可変)                    6.58
21        -15.120    0.70   1.77250   49.6   6.99
22        118.961  (可変)                    7.26
23*        12.808    3.49   1.48749   70.2  11.80
24        -18.982  (可変)                   11.77
25          ∞       0.80   1.51633   64.1  20.00
26          ∞       2.22                   20.00
像面        ∞
【００８５】
非球面データ
第7面
K  = 2.50717e-002  A 4=-1.20472e-006  A 6=-6.57466e-006
A 8= 3.87504e-007  A10=-9.80177e-009 
第13面
K  =-3.62944e-001  A 4=-9.47829e-005  A 6=-1.02524e-006
A 8=-1.04732e-008
第14面
K = 0.00000e+000  A 4=-9.61549e-007
第23面
K  = 0.00000e+000  A 4=-9.18726e-005  A 6= 4.92067e-007
A 8=-1.16408e-008
各種データ
ズーム比     16.00
広角     中間     望遠
焦点距離       5.41    23.69    86.55 
Fナンバー      3.07     4.43     5.75
半画角（度）  32.53     8.29     2.28 
像高           3.45     3.45     3.45 
レンズ全長    71.25 81.78 88.07
BF            5.05 11.33 4.88
d 3            0.45     0.80     0.91 
d 5            0.60    10.84    17.14 
d12           21.31     7.45     4.30 
d20            5.69     8.24     6.56 
d22            1.00     5.97    17.13 
d24            2.30     8.58     2.13 
入射瞳位置    18.78    63.41   196.24 
射出瞳位置   -25.37  -204.08    40.49 
前側主点位置  23.13    84.38   478.51 
後側主点位置  -3.19   -21.47   -84.34 
ズームレンズ群データ
群  始面    焦点距離  レンズ構成長  前側主点位置  後側主点位置
1    1     151.93         6.11        -0.93         -4.88
2    4      37.10         3.31        -0.56         -2.39
3    6      -5.50        11.75         1.73         -7.92
4   13      13.72        11.79         0.67         -8.62
5   21     -17.33         0.70         0.04         -0.35
6   23      16.27         3.49         0.98         -1.45
GB   25       ∞           0.80         0.26         -0.26
単レンズデータ
レンズ  始面  焦点距離
1       1    -62.96
2       2     44.03
3       4     37.10
4       6    -10.65
5       8     -5.80
6      10      9.96
7      13     12.99
8      16    -18.24
9      18      9.29
10      19    -15.92
11      21    -17.33
12      23     16.27
13      25      0.00
【００８６】
【表１】
0005871623.tif 000002
【符号の説明】
【００８７】
ＬＦ  前群    ＬＲ  後群    Ｌ１  第１レンズ群    Ｌ２  第２レンズ群
Ｌ３  第３レンズ群    Ｌ３a  第３aレンズ群    Ｌ３b  第３bレンズ群
Ｌ４  第４レンズ群    Ｌ４a  第４aレンズ群    Ｌ４b  第４bレンズ群
Ｌ５  第５レンズ群    Ｌ６  第６レンズ群      ＳＰ  開口絞り
ＵＲ  反射ミラー
【図１】
0005871623.tif 000003
【図２】
0005871623.tif 000004
【図３】
0005871623.tif 000005
【図４】
0005871623.tif 000006
【図５】
0005871623.tif 000007
【図６】
0005871623.tif 000008
【図７】
0005871623.tif 000009
【図８】
0005871623.tif 000010
【図９】
0005871623.tif 000011
【図１０】
0005871623.tif 000012
【図１１】
0005871623.tif 000013
【図１２】
0005871623.tif 000014